(57)【要約】 【課題】重錘の上・下面に付着した付着物を適確に除去し清掃することができる装置を提供する。【解決手段】第２移送手段２側における所要の高さ位置に配設されて吊り上げ手段１０によって吊り上げられた重錘９の上面を掻く第１スクレーパ１４をそのピストンロッドの先端に装着した横向きのシリンダ１５と、第１移送手段３と第２移送手段２の間に配設されて第１スクレーパ１４によって掻き取られた重錘の付着物を回収する付着物回収手段１６と、付着物回収手段に装着されて搬送手段１１によって搬送される重錘の付着物を付着物回収手段に掻き落とす第２スクレーパ１７と、を備えて、シリンダの伸長作動により第１スクレーパを第２移送手段側から第１移送手段側に移動させて、吊り上げ手段によって吊り上げられた重錘の上面を掻き、続いて、吊り上げ手段を搬送手段によって第１移送手段側へ搬送して、吊り上げ手段で吊上げの重錘の上面を第１スクレーパによって再び掻くとともに重錘の下面を第２スクレーパによって掻くことを特徴とする。【選択図】     図１
2010221255.tif 000002
【特許請求の範囲】
【請求項１】
上下鋳枠を移送する２連の第１移送手段および第２移送手段を水平に延ばすとともに所要の間隔をおき相互に平行させて設置して、前記上下鋳枠に注湯した時の上鋳枠の浮上を阻止する重錘を、吊り上げ手段によって昇降させるとともにこの吊り上げ手段を搬送する搬送手段によって搬送して、前記重錘を前記第２移送手段の上下鋳枠上から前記第１移送手段の上下鋳枠上に移し替えるように構成した鋳造ラインにおいて、
前記重錘の上面および下面の付着物を掻き取る装置であって、
前記第２移送手段側における所要の高さ位置に配設されて前記吊り上げ手段によって吊り上げられた前記重錘の上面を掻く第１スクレーパをそのピストンロッドの先端に装着した横向きのシリンダと、
前記第１移送手段と前記第２移送手段の間に配設されて前記第１スクレーパによって掻き取られた前記重錘の付着物を回収する付着物回収手段と、
この付着物回収手段に装着されて前記搬送手段によって搬送される前記重錘の下面の付着物を前記付着物回収手段に掻き落とす第２スクレーパと、
を備えて、
前記シリンダの伸長作動により第１スクレーパを前記第２移送手段側から前記第１移送手段側に移動させて、前記吊り上げ手段によって前記第２移送手段の上下鋳枠上から吊り上げられた前記重錘の上面を掻き、続いて、前記吊り上げ手段を前記搬送手段によって前記第１移送手段の真上に搬送して、前記吊り上げ手段で吊上げの前記重錘の上面を前記第１スクレーパによって再び掻くとともに前記重錘の下面を前記第２スクレーパによって掻くことを特徴とする重錘の上・下両面の清掃装置。
【発明の詳細な説明】
【技術分野】
【０００１】
本発明は、重錘の上・下両面の清掃装置に係り、より詳しくは、上下鋳枠を移送する２連の第１移送手段および第２移送手段を水平に延ばすとともに所要の間隔をおき相互に平行させて設置して、上下鋳枠に注湯した時の上鋳枠の浮上を阻止する重錘を、吊り上げ手段によって昇降させるとともにこの吊り上げ手段を搬送する搬送手段によって搬送して、重錘を第２移送手段の上下鋳枠上から第１移送手段の上下鋳枠上に移し替えるように構成した鋳造ラインにおいて、重錘の上面および下面の付着物を掻き取り清掃する装置に関する。
【背景技術】
【０００２】
一般に、上下鋳枠の鋳型に注湯した時の上鋳枠の浮上を阻止するために、その上下鋳枠に重錘が載せられる。  
【先行技術文献】
【非特許文献】
【０００３】
なお、この重錘を上下鋳枠上に載置する技術は、昔から行われているため、これについて記載された資料は発見できなかった。
【発明の概要】
【発明が解決しようとする課題】
【０００４】
ところで、重錘を載置した上下鋳枠に注湯した時に溶湯が鋳型から溢れて重錘上に載ったり、鋳型と重錘との隙間に進入したりして、溶湯が重錘の上面あるいは下面に付着することがある。
このため、重錘の上・下両面に付着した付着物を適確に除去することができる装置がこの種の業界から要請されていた。
【０００５】
本発明は上記の事情に鑑みてなされたもので、その目的は、重錘の上・下両面の付着物を適確に除去し清掃することができる装置を提供することにある。 
【課題を解決するための手段】
【０００６】
上記の目的を達成するために本発明における重錘の上・下両面の清掃装置は、上下鋳枠を移送する２連の第１移送手段および第２移送手段を水平に延ばすとともに所要の間隔をおき相互に平行させて設置して、上下鋳枠に注湯した時の上鋳枠の浮上を阻止する重錘を、吊り上げ手段によって昇降させるとともにこの吊り上げ手段を搬送する搬送手段によって搬送して、重錘を第２移送手段の上下鋳枠上から第１移送手段の上下鋳枠上に移し替えるように構成した鋳造ラインにおいて、重錘の上面および下面の付着物を掻き取る装置であって、第２移送手段側における所要の高さ位置に配設されて、吊り上げ手段によって吊り上げられた重錘の上面を掻くブラシ構造の第１スクレーパをそのピストンロッドの先端に装着した横向きのシリンダと、第１移送手段と第２移送手段の間に配設されて第１スクレーパによって掻き取られた重錘の付着物を回収する付着物回収手段と、付着物回収手段に装着されて搬送手段によって搬送される重錘の下面の付着物を付着物回収手段に掻き落とす第２スクレーパと、を備えて、シリンダの伸長作動により第１スクレーパを第２移送手段側から第１移送手段側に移動させて、吊り上げ手段によって第２移送手段の上下鋳枠上から吊り上げられた重錘の上面を掻き、続いて、吊り上げ手段を搬送手段によって第１移送手段の真上に搬送して、吊り上げ手段で吊上げの重錘の上面を第１スクレーパによって再び掻くとともに重錘の下面を第２スクレーパによって掻くことを特徴とする。  
【発明の効果】
【０００７】
上記の説明から明らかなように本発明によれば、シリンダの伸長作動により第１スクレーパを第２移送手段側から第１移送手段側に移動させて、吊り上げ手段によって第２移送手段の上下鋳枠上から吊り上げられた重錘の上面を掻き、続いて、吊り上げ手段を搬送手段によって第１移送手段側へ搬送して、吊り上げ手段で吊上げの重錘の上面を第１スクレーパによって再び掻くとともに重錘の下面も第２スクレーパによって掻くことができるなどの優れた実用的効果を奏する。  
【図面の簡単な説明】
【０００８】
【図１】本発明の一実施例を示す正面図である。
【図２】図１の作動説明図である（第１スクレーパが第１移送手段側に移動して重錘の上面を掻く）。
【図３】図１の作動説明図である（重錘を第１移送手段の真上に搬送して第１スクレーパと第２スクレーパとで重錘の上・下両面を掻く）。
【図４】図１の作動説明図である（第１スクレーパを元の位置に戻し、かつ、重錘を第１移送手段の上下鋳枠上に載せた後、吊り上げ手段を第２移送手段の真上に戻す）。
【発明を実施するための形態】
【実施例】
【０００９】
以下、本発明を適用した重錘の上・下両面の清掃装置の一実施例について図１から図４に基づき詳細に説明する。この重錘の上・下両面の清掃装置においては、図１に示すように、鋳型を内蔵した上下鋳枠１を移送する２連の第２移送手段２および第１移送手段３が、前後方向に延びるとともに左右方向に所要の間隔をおいて相互に平行して設置してあり、これら第２移送手段２および第１移送手段３は、レール４およびレール５にそれぞれ走行自在に装架された複数の定盤台車６と定盤台車７とでそれぞれ構成してある。
【００１０】
また、２連の第２移送手段２および第１移送手段３を横に跨ぐようにして設置された門型フレーム８の天井部分には、上下鋳枠１に注湯した時の上鋳枠の浮上を阻止する重錘９を吊り上げる吊り上げ手段１０と、吊り上げ手段１０を第２移送手段２の真上位置から第１移送手段３の真上位置に搬送する搬送手段１１とが左右方向へ往復動可能にして配置してある。
【００１１】
そして、吊り上げ手段１０においては、後述の走行台車１３に装着され重錘９を掛止可能な掛止機構１２がシリンダ（図示せず）の伸縮作動により昇降可能して設けてある。また、搬送手段１１には、掛止機構１２を搭載して第２移送手段２の真上位置から第１移送手段３の真上位置に搬送する走行台車１３が設けてある。
【００１２】
また、門型フレーム８の天井部分の左端には横向きのシリンダ１５が装着してあり、シリンダ１５のピストンロッドの先端には、吊り上げ手段１０によって吊り上げられた重錘９の上面を掻くブラシ構造の第１スクレーパ１４が設けてある。
また、門型フレーム８の天井部分における第２移送手段２と第１移送手段３の間には、第１スクレーパ１４によって掻き取られた重錘９の付着物を回収する箱構造の付着物回収手段１６が垂設してあり、付着物回収手段１６には、搬送手段１１によって搬送される重錘９の下面の付着物を付着物回収手段１６に掻き落とす第２スクレーパ１７が装着してある。
【００１３】
このように構成したものは、図２に示すように、第２移送手段２の上下鋳枠１上の重錘９を吊り上げ手段１０によって吊り上げた後、シリンダ１５を伸長作動して第１スクレーパ１４を第２移送手段２側から第１移送手段３側に移動させ、吊り上げ手段１０によって吊り上げられた重錘９の上面を掻く。これにより、重錘９の上面に付着していた付着物は掻き取られて付着物回収手段１６に回収される。
【００１４】
次いで、図３に示すように、吊り上げ手段１０を搬送手段１１によって第２移送手段２の真上から第１移送手段３の真上に搬送して、吊り上げ手段１０で吊上げの重錘９の上面を第１スクレーパ１４によって再び掻くとともに重錘９の下面を第２スクレーパ１７によって掻く。これにより、重錘９の上面に残存していた付着物および重錘９の下面に付着していた付着物が掻き取られて付着物回収手段１６に回収される。
【００１５】
次いで、図４に示すように、シリンダ１５を収縮作動して第１スクレーパ１４を元の位置に戻す。また、吊り上げ手段１０のシリンダを伸長作動して重錘９を下降させた後、重錘９の掛止機構１２による掛止状態を解いて重錘９を第１移送手段３の上下鋳枠１上に載せる。続いて、吊り上げ手段１０のシリンダを収縮作動して掛止機構１２を上昇させた後、搬送手段１１を介して吊り上げ手段１０を第２移送手段２の真上に戻して清掃作業を完了する。
【符号の説明】
【００１６】
２    第２移送手段
９    重錘
１０    吊り上げ手段
１４    第１スクレーパ
１５    シリンダ
１６    付着物回収手段
１７    第２スクレーパ
【図１】
2010221255.tif 000003
【図２】
2010221255.tif 000004
【図３】
2010221255.tif 000005
【図４】
2010221255.tif 000006